(57)【特許請求の範囲】
【請求項１】
前身頃と後身頃とを備えた上着本体に左右の袖ぐり部が形成されるとともに、前記前身頃および後身頃のそれぞれに、略全域に亘って浮力材を備えた浮力材付き釣り用上着であって、
前記後身頃における左右の袖ぐり部の後縁部のそれぞれが、身幅方向内側に湾曲した湾曲部を備え、左右の湾曲部間において最も細くなる最細部は、着用者の首が挿通される前記上着本体の襟部の襟幅よりも細い幅に構成され、前記左右の袖ぐり部の後縁部が、着用者の左右の肩甲骨の内側縁にそれぞれ沿うように、該後縁部の上端から前記最細部までは下方に向かうほど身幅方向内側に位置するように湾曲し、かつ、前記最細部から下方に向かうほど身幅方向外側に位置するように湾曲していることを特徴とする浮力材付き釣り用上着。
【請求項２】
前記前身頃の上部に左右のポケットを備え、前記前身頃における左右の袖ぐり部の前縁部のそれぞれが、左右の袖ぐり部の頂部から前記左右のポケットの上端部側ほど内側に位置するように構成され、前記左右の袖ぐり部の前端部間において最も細くなる最細部が、着用者の左右の乳首と鎖骨との間に位置していることを特徴とする請求項１に記載の浮力材付き釣り用上着。
【発明の詳細な説明】
【技術分野】
【０００１】
本発明は、例えばルアーフィッシング、磯釣り、波止釣り、船釣りなどで着用する浮力材付き釣り用上着に関する。
【背景技術】
【０００２】
従来のこの種の浮力材付き釣り用上着としては、例えば前身頃と後身頃とを備えた上着本体には、釣人が腕を通す袖ぐり部が形成されている（特許文献１参照）。そして、前身頃は、釣人の上半身の前面の略全域を覆い、後身頃は、釣人の肩甲骨を含めた上半身の後面の略全域を覆うように形成されている。
【先行技術文献】
【特許文献】
【０００３】
【特許文献１】特開２０１１−１２３５６号公報
【発明の概要】
【発明が解決しようとする課題】
【０００４】
ところで、磯釣り等では、釣人は魚を寄せるために腕を上から振り下ろして餌をまく動作（まき餌という）や腕を前に出して釣れた魚を取り込む動作など、多彩な動作をする。しかしながら、上記特許文献１の浮力材付き釣り用上着の後身頃が、釣人の肩甲骨を含めた上半身の後面の略全域を覆っているので、腕を前方に出したり腕を回す動作がし難い場合がある。特に、浮力材付き釣り用上着は、海に転落した時に容易に身体から外れないように密着状態で身体に固定されているため、動作がし難い。
【０００５】
そこで、本発明は、前述の状況に鑑み、着用者が動作し易い浮力材付き釣り用上着を提供することにある。
【課題を解決するための手段】
【０００６】
本発明の浮力材付き釣り用上着は、前述の課題解決のために、前身頃と後身頃とを備えた上着本体に左右の袖ぐり部が形成されるとともに、前記前身頃および後身頃のそれぞれに、浮力材を備えた浮力材付き釣り用上着であって、前記後身頃における左右の袖ぐり部の後縁部のそれぞれが、身幅方向内側に湾曲した湾曲部を備え、左右の湾曲部間において最も細くなる最細部は、着用者の左右の肩甲骨の内側縁の最も背骨に近い角付近にあり、且つ着用者の首が挿通される前記上着本体の襟部の襟幅よりも細い幅に構成されていることを特徴としている。
【０００７】
本発明によれば、後身頃における左右の袖ぐり部の後縁部のそれぞれが、身幅方向内側に湾曲した湾曲部を備え、左右の湾曲部間の最細部は、着用者の左右の肩甲骨の内側縁の最も背骨に近い角付近にあり、且つ着用者の首が挿通される前記上着本体の襟部（襟ぐり部）の襟幅よりも細い幅に構成されているため、左右の肩甲骨の部位のほとんど（又は全部）が後身頃に少し当たっている（又は当たっていない）開放された状態となる。このため、後身頃によって左右の肩甲骨が圧迫されることがない。したがって、肩甲骨の動きやすさに伴って、腕の付け根（肩関節）の動きもよくなる。具体的には、着用者は、腕を前方に出したり腕を回す動作が容易に行え、魚を寄せるために腕を上から振り下ろして餌をまく動作（まき餌という）や釣れた魚を取り込む動作がし易い。
【０００８】
また、本発明の浮力材付き釣り用上着の一態様として、前記前身頃の上部に左右のポケットを備え、前記前身頃における左右の袖ぐり部の前縁部のそれぞれが、左右の袖ぐり部の頂部から前記左右のポケットの上端部側ほど内側に位置するように構成され、前記左右の袖ぐり部の前端部間において最も細くなる最細部が、着用者の左右の乳首と鎖骨との間に位置していることが好ましい。
【０００９】
上記のように、前記前身頃の上部の左右にポケットを備え、前記前身頃における左右の袖ぐり部の前縁部のそれぞれが、左右の袖ぐり部の頂部から前記左右のポケットの上端部側ほど内側に位置するように構成され、前記左右の袖ぐり部の前端部間において最も細くなる最細部が、着用者の左右の乳首と鎖骨との間に位置しているため、腕を前に出して釣れた魚を取り込む動作、魚を寄せるために腕を上から振り下ろして餌をまく動作（まき餌という）がスムーズに行える。
【発明の効果】
【００１０】
本発明の浮力材付き釣り用上着を着用した着用者が動作し易い、という優れた効果を奏する。
【図面の簡単な説明】
【００１１】
【図１】本発明の浮力材付き釣り用上着の正面図である。
【図２】同浮力材付き釣り用上着の背面図である。
【図３】同浮力材付き釣り用上着を展開した図である。
【図４】同浮力材付き釣り用上着を着用した正面図である。
【図５】同浮力材付き釣り用上着を着用した背面図である。
【発明を実施するための形態】
【００１２】
以下、本発明の一実施形態に係る浮力材付き釣り用上着について図面を参照しつつ説明する。
【００１３】
図１〜図３に、浮力材付き釣り用上着の一例である袖なしの上着であるベストを示している。このベストは、例えばルアーフィッシングの釣りの際に着用するフローティングベストとして使用しているが、その他の釣り（磯釣りや波止釣りや船釣り等）で使用してもよい。尚、ベストを着用した着用者から見て左側を左側とし、右側を右側とする。また、図１に示すように、着用者から見て左右を身幅方向とし、身幅方向の中央を中央部とし、身幅方向両端部の一方を左外側部とし、かつ、他方を右外側部とする。また、上下方向を身丈方向とする。
【００１４】
ベストは、前身頃１と、この前身頃１の左右両端に連結される後身頃２とを有する上着本体を備えている。
【００１５】
上着本体には、左右の袖ぐり部５Ｌ，５Ｒが形成されている。図４に示すように、前身頃１における左右の袖ぐり部５Ｌ，５Ｒの前縁部５０Ｌ，５０Ｒのそれぞれが、左右の袖ぐり部５Ｌ，５Ｒの頂部から後述の左側の第１ポケット９の上端部ＱＬおよび右側の第３ポケット１１の上端部ＱＲ側ほど内側に位置する左右の湾曲部５００Ｌ，５００Ｒを備えている。湾曲部５００Ｌ，５００Ｒは、緩やかな湾曲部になっているが、真っ直ぐな直線部であってもよい。そして、左右の湾曲部５００Ｌ，５００Ｒ間の最も細くなる最細部が、上端部ＱＬ，ＱＲ間の幅Ｑであり、着用者Ａの左右の乳首ＢＬ，ＢＲと鎖骨ＥＬ，ＥＲとの間に位置している。具体的には、最細部Ｑが、左右の乳首ＢＬ，ＢＲと鎖骨ＥＬ，ＥＲとの距離の略半分の位置に位置しているが、左右の乳首ＢＬ，ＢＲ寄りの位置又は鎖骨ＥＬ，ＥＲ寄りの位置であってもよい。また、後述の左側の第１ポケット９の上端部ＱＬおよび右側の第３ポケット１１の上端部ＱＲから下方に向かうにしたがって徐々に広くなっているが、同一幅で下方に向かうようにしてもよい。要するに、前縁部５０Ｌ，５０Ｒは、着用者Ａの左右の鎖骨ＥＬ，ＥＲの左右両端部から乳首ＢＬ，ＢＲの内側を通って肋骨ＦＬ，ＦＲへ延びている。
【００１６】
図５に示すように、後身頃２における左右の袖ぐり部５Ｌ，５Ｒの後縁部５１Ｌ，５１Ｒのそれぞれが、身幅方向内側に湾曲した湾曲部５１０Ｌ，５１０Ｒを備える。そして、左右の湾曲部５１０Ｌ，５１０Ｒ間の最も細くなる最細部ＰＬ，ＰＲの幅ｈは、着用者Ａの首Ｎが挿通される上着本体の襟部（襟ぐり部）２ａの襟幅Ｈよりも細く、かつ、前身頃１の左側の第１ポケット９の上端部ＱＬおよび右側の第３ポケット１１の上端部ＱＲ間の幅Ｑ（図４参照）よりも細くなっている。しかも、最細部ＰＬ，ＰＲは、着用者Ａの左右の肩甲骨ＣＬ，ＣＲの内側縁ＣＬ１，ＣＲ１の最も背骨Ｄ（身幅方向中央部）に近い角ＣＬ２，ＣＲ２付近にある。具体的に、後身頃２における左右の袖ぐり部５Ｌ，５Ｒの後縁部５１Ｌ，５１Ｒは、着用者Ａの左右の鎖骨ＥＬ，ＥＲの左右両端部から肩甲骨ＣＬ，ＣＲの内側縁に沿うようにして肋骨ＦＬ，ＦＲへ延びている。換言すれば、左右の袖ぐり部５Ｌ，５Ｒの後縁部５１Ｌ，５１Ｒの頂部（上端）から最細部ＰＬ，ＰＲまでは、下方に向かうほど内側に位置するように湾曲し、最細部ＰＬ，ＰＲから下方に向かうほど外側に位置するように湾曲している。
【００１７】
前身頃１は、左前身頃３と右前身頃４とを備えている。左前身頃３及び右前身頃４の内部のそれぞれには、略全域に亘って浮力材を備えている。具体的には、左前身頃３に大きさ及び形状の異なる４種類（４つ）の浮力材６ａ〜６ｄ（図３参照）を備えている。また、右前身頃４の内部に、左前身頃３と同じ４つの浮力材６ａ〜６ｄ（図３参照）を備えている。これら左前身頃３及び右前身頃４の左右方向中心部側端に備えさせたベスト着脱用スライドファスナーＦを開閉操作することで身体にベストを着脱することができるようになっている。ここでは、４つの浮力材６ａ〜６ｄとしているが、浮力材の個数は、４つに限定されない。
【００１８】
図１に示すように、一方の左前身頃３の上側に第１ポケット９を備え、下側に第１ポケット９よりも大きく、該左前身頃３から外側に張り出すマチ部１０Ａとマチ部１０Ａの前側に配置される前側部１０Ｔとを有する第２ポケット１０を備えている。第２ポケット１０の開口１０Ｋは、前身頃１の面方向に沿った第１方向（身幅方向、図では左右方向）に沿って延びるとともに上端に位置する横向きの第１開口部１０１と、前身頃１の面方向に沿い、かつ、第１方向に交差する第２方向（身丈方向、図では上下方向）に沿って第１開口部１０１に連続する縦向きの左右一対の第２開口部１０２，１０３とを備えている。マチ部１０Ａには、第２ポケット１０の開口１０Ｋを開閉する開閉手段を構成するスライドファスナー１０Ｂを備えている。また、第１ポケット９の開口を開閉する開閉手段を構成するスライドファスナー９Ｂを備えている。
【００１９】
他方の右前身頃４の上側に第３ポケット１１を備え、下側に第３ポケット１１よりも大きく、該右前身頃４から外側に張り出すマチ部１２Ａとマチ部１２Ａの前側に配置される前側部１２Ｔとを有する第４ポケット１２を備えている。第４ポケット１２の開口１２Ｋは、第２ポケット１０と同様に、前身頃１の面方向に沿った第１方向（身幅方向、図では左右方向）に沿って延びるとともに上端に位置する横向きの第１開口部１２１と、第１開口部１２１の面方向に沿い、かつ、第１方向に交差する第２方向（身丈方向）に沿って第１開口部１２１に連続する縦向きの左右一対の第２開口部１２２，１２３とを備えている。図１に示すように、マチ部１２Ａには、第４ポケット１２の開口１２Ｋを開閉する開閉手段を構成するスライドファスナー１２Ｂを備えている。また、第３ポケット１１の開口を開閉する開閉手段を構成するスライドファスナー１１Ｂを備えている。
【００２０】
また、左前身頃３の第１ポケット９と第２ポケット１０との間に第５ポケット１３を備え、第５ポケット１３の開口を開閉するためのスライドファスナー１３Ｂを備えている。また、右前身頃４の第３ポケット１１と第４ポケット１２との間に第６ポケット１４を備え、第６ポケット１４の開口を開閉するためのスライドファスナー１４Ｂを備えている。
【００２１】
図３に示すように、後身頃２の内部に、略全域に亘って浮力材を備えている。具体的には、後身頃２の内部に大きさ及び形状が異なる３種類の浮力材を備え、合計５つの浮力材１５ａ〜１５ｅを備えている。後身頃２の身幅方向中央、すなわち左右の袖ぐり部５Ｌ，５Ｒの後縁部５１Ｌ，５１Ｒの湾曲部５１０Ｌ，５１０Ｒ間の領域Ｘに配置された浮力材１５ｃは、他の浮力材１５ａ，１５ｂ、１５ｄ，１５ｅに比べて左右幅が最も広く、かつ、上下寸法が最も長く面積も最も大きく構成されているが、浮力材１５ｃが着用者Ａの左右の肩甲骨ＣＬ，ＣＲにほとんど当たらないので、左右の肩甲骨ＣＬ，ＣＲの動きが阻害されることがない。尚、図５では、着用者Ａの左右の肩甲骨ＣＬ，ＣＲの内側縁ＣＬ１，ＣＲ１の一部が当たっているが、着用者の体格が異なれば、着用者の左右の肩甲骨ＣＬ，ＣＲに当たらない場合もある。また、浮力材１５ｃの上端位置を後身頃２の上端よりも少し低い位置にあり、首を動かし易くなっている。第２番目に大きい２つの浮力材１５ｂ，１５ｄが、身幅方向中央に位置する前記浮力材１５ｃの左右に隣り合うように配置され、最も小さい２つの浮力材１５ａ，１５ｅが、前記浮力材１５ｂ，１５ｄの身幅方向の外側に隣り合うように配置されている。尚、浮力材の個数は、図に示す５つに限定されるものではない。
【００２２】
前述のように、後身頃２が、左右の湾曲部５１０Ｌ，５１０Ｒを備えることによって、既製（公知）の後身頃の身幅寸法よりも細くなっているが、後身頃２の浮力材１５ａ〜１５ｅの厚みを厚くしているので、既製（公知）の後身頃の浮力と同じ浮力になっている。また、前身頃１は、左右の湾曲部５００Ｌ，５００Ｒを備えることによって、既製（公知）の前身頃の身幅寸法よりも細くなっているが、前身頃１の浮力材６ａ〜６ｄの厚みを厚くしているので、既製（公知）の前身頃の浮力と同じ浮力になっている。因みに、左右の８つの浮力材６ａ〜６ｄの浮力を、後身頃２の５個の浮力材１５ａ〜１５ｅの浮力よりも大きく設定することが好ましい。このように設定すれば、浮力材付き釣り用上着として安定した浮力を確保できる。すなわち、本実施形態の浮力材付き釣り用上着を着用して水没した際、着用者は仰向けの状態で水面から顔を出して浮くことができる。
【００２３】
図２及び図３に示すように、後身頃２を構成する生地の大部分が、通気性を有するメッシュ状生地２０から構成されている。このメッシュ状生地２０を表面（外面）側から覆う外皮部材２１を備えている。この外皮部材２１の上端部及び左右両端部に、複数の雄型（又は雌型）の係止部材（ドット釦）２２を備えさせ、係止部材２２に係止及び係止解除自在な雌型（又は雄型）の被係止部材（ドット釦）２３を、後身頃２の上部側に備えた帯状の生地２４の内面及び後身頃２の左右両端部分２５，２６の内面にそれぞれ備えさせて、両者を係止及び係止解除することにより、外皮部材２１を後身頃２に着脱自在に取り付けることができるようになっている。
【００２４】
上記のように構成された浮力材付き釣り用上着を着用した場合、後身頃２の袖ぐり部５Ｌ，５Ｒの後縁部５１Ｌ，５１Ｒが身幅方向内側に湾曲した湾曲部５１０Ｌ，５１０Ｒを備え、後身頃２の左右の湾曲部５１０Ｌ，５１０Ｒ間の最細部ＰＬ，ＰＲが、着用者Ａの左右の肩甲骨ＣＬ，ＣＲの内側縁ＣＬ１，ＣＲ１の最も背骨Ｄに近い角ＣＬ２，ＣＲ２付近にあり、かつ、最細部ＰＬ，ＰＲの幅ｈは、着用者Ａの首Ｎが挿通される上着本体の襟部２ａの襟幅Ｈよりも細くなっているため、左右の肩甲骨ＣＬ，ＣＲの部位のほとんど（又は全部）が後身頃２に当たっていない開放された状態となる。このため、後身頃２によって左右の肩甲骨ＣＬ，ＣＲが圧迫されることがない。したがって、肩甲骨ＣＬ，ＣＲの動きやすさに伴って、左右の腕の付け根（肩関節）ＧＬ，ＧＲの動きもよくなる。具体的に、着用者Ａは、腕を前方に出したり腕を回す動作が容易に行え、魚を寄せるために腕を上から振り下ろして餌をまく動作（まき餌という）や釣れた魚を取り込む動作をし易い。特に、浮力材付き釣り用上着は、海に転落した時に容易に身体から外れないように密着状態で身体に固定されているため、動き難い。このため、上記構成の浮力材付き釣り用上着が有効である。
【００２５】
また、前身頃１における左右の袖ぐり部５Ｌ，５Ｒの前縁部５０Ｌ，５０Ｒの幅が、左右の袖ぐり部５Ｌ，５Ｒの頂部から後述の左側の第１ポケット９の上端部ＱＬ側および右側の第３ポケット１１の上端部ＱＲ側にかけて細くなるように構成され、前縁部５０Ｌ，５０Ｒの幅が最も細くなる最細部Ｑ（後述の左側の第１ポケット９の上端部ＱＬおよび右側の第３ポケット１１の上端部ＱＲ間の幅）が、上下方向（身丈方向）において着用者Ａの左右の乳首ＢＬ，ＢＲと鎖骨ＥＬ，ＥＲとの間に位置しているため、着用者Ａは、腕を前に出して釣れた魚を取り込む動作や、魚を寄せるために腕を上から振り下ろして餌をまく動作（まき餌という）がスムーズに行える。
【００２６】
このように本発明の浮力材付き釣り用上着によれば、前身頃１の左右の袖ぐり部５Ｌ，５Ｒに湾曲部５００Ｌ，５００Ｒを形成するとともに、後身頃２の左右の袖ぐり部５Ｌ，５Ｒに湾曲部５１０Ｌ，５１０Ｒを形成することによって、前身頃１及び後身頃２の左右の袖ぐり部５Ｌ，５Ｒを腕の付け根（肩関節）から遠ざけることができる、換言すれば身幅方向中央部側に出来る限り寄せることができるので、着用者Ａは、腕の付け根（肩関節）ＧＬ，ＧＲを起点とする動作がし易くなる。
【００２７】
尚、本発明は、上記実施形態に限定されるものではなく、本発明の要旨を逸脱しない範囲で種々の変更が可能である。
【００２８】
例えば、前記実施形態では、前身頃１を左右の前身頃３，４から構成したが、頭から被って着るような１つの前身頃からなるベストであってもよい。
【００２９】
また、前記実施形態では、前身頃１に湾曲部５００Ｌ，５００Ｒを形成したが、無くてもよい。
【００３０】
また、前記実施形態では、後身頃２の袖ぐり部５Ｌ，５Ｒの後縁部５１Ｌ，５１Ｒを、着用者Ａの鎖骨ＥＬ，ＥＲの左右両端部から肩甲骨ＣＬ，ＣＲの内側縁ＣＬ１，ＣＲ１に沿うように延びる構成としたが、着用者Ａの肩先ＪＬ，ＪＲから肩甲骨ＣＬ，ＣＲの内側縁ＣＬ１，ＣＲ１に沿うように延びる構成としてもよい。
【符号の説明】
【００３１】
1…前身頃、２…後身頃、２ａ…襟部、３…左前身頃、４…右前身頃、５Ｌ…左側の袖ぐり部、５Ｒ…右側の袖ぐり部、５０Ｌ…左側の袖ぐり部の前縁部、５０Ｒ…右側の袖ぐり部の前縁部、５１Ｌ…左側の袖ぐり部の後縁部、５１Ｒ…右側の袖ぐり部の後縁部、５００Ｌ…左側の前縁部の湾曲部、５１０Ｌ…左側の後縁部の湾曲部、５１０Ｒ…右側の後縁部の湾曲部、６ａ〜６ｄ、１５ａ〜１５ｅ…浮力材、９…第１ポケット、１１…第３ポケット、２０…メッシュ状生地、Ａ…着用者、ＢＬ…左側の乳首、ＢＲ…右側の乳首、ＣＬ…左側の肩甲骨、ＣＲ…右側の肩甲骨、ＣＬ１…左側の肩甲骨の内側縁、ＣＲ１…右側の肩甲骨の内側縁、ＣＬ２…背骨に近い左側の肩甲骨の角、ＣＲ２…背骨に近い右側の肩甲骨の角、Ｄ…背骨、Ｎ…首、ｈ…後身頃における左右の袖ぐり部の湾曲部間の最細部の幅、Ｑ…前身頃における左右の袖ぐり部の最細部となる幅、Ｆ…ベスト着脱用スライドファスナー、Ｘ…後身頃の左右の袖ぐり部の湾曲部間の領域
【図１】
0006751598.tif 000002
【図２】
0006751598.tif 000003
【図３】
0006751598.tif 000004
【図４】
0006751598.tif 000005
【図５】
0006751598.tif 000006